(57)【要約】【課題】  エリア数の変更の容易化を図ることができる照明システムを提供する。【解決手段】  照明システムは、総消費電力量が電力量上限値を超えない範囲で各エリアＡ１，Ａ２，Ａ３の照度目標値を算出するとともに、算出した各エリアＡ１，Ａ２，Ａ３の照度目標値を示す信号を送出するコントローラ（マスター制御装置）１０と、送出された照度目標値を示す信号を受信し、エリアＡ１，Ａ２，Ａ３毎の照明装置５０に対して該当するエリアＡ１，Ａ２，Ａ３）の照度目標値と一致するように調光率を制御するセンサアダプタ（スレーブ制御装置）３０とを備える。【選択図】図１
2014002889.tif 000002
【特許請求の範囲】
【請求項１】
総消費電力量が定められた電力量上限値を超えないように制御しつつ、エリア毎に独立した照明装置により照明する照明システムであって、
前記総消費電力量が前記電力量上限値を超えない範囲で各エリアの照度目標値を算出するとともに、算出した各エリアの前記照度目標値を示す信号を送出するマスター制御装置と、
送出された前記照度目標値を示す信号を受信し、エリア毎の照明装置に対して該当するエリアの前記照度目標値と一致するように調光率を制御するスレーブ制御装置とを備える
ことを特徴とする照明システム。
【請求項２】
前記マスター制御装置は、更に、
各エリアの照度と前記総消費電力量との相関関係を示す相関テーブルと、予め設定される第１照度目標値とを保持するとともに、前記電力量上限値と前記相関テーブルとに基づいて第２照度目標値を算出し、前記第１照度目標値および前記第２照度目標値のうち値の小さい方を前記照度目標値として選択する
ことを特徴とする請求項１記載の照明システム。
【請求項３】
前記マスター制御装置は、前記照度目標値を示す信号を送出する際、前記照度目標値が前記第１照度目標値であるか或いは前記第２照度目標値であるかを識別するための識別情報を送出し、
前記スレーブ制御装置は、前記調光率を単位変化量ずつ変化させるものであり、前記識別情報が第１照度目標値を示す場合、前記単位変化量を第１単位変化量に設定し、前記識別情報が前記第２照度目標値を示す場合、前記単位変化量を前記第１単位変化量よりも大きい第２単位変化量に設定する
ことを特徴とする請求項２記載の照明システム。
【請求項４】
総消費電力を測定する電力測定装置を更に備え、
前記スレーブ制御装置は、エリア毎の照度を測定する照度測定手段を有し、
前記マスター制御装置は、
前記電力測定装置により測定された電力測定値から得られる前記総消費電力量と、前記スレーブ制御装置が有する前記照度測定手段により測定されたエリア毎の照度測定値とを取得し、前記総消費電力量および前記エリア毎の照度測定値に基づいて前記相関テーブルを作成する
ことを特徴とする請求項２記載の照明システム。
【請求項５】
前記スレーブ制御装置は、
各エリアにおける人の存否を検知する人検知手段と、
前記人検知手段による検知結果に応じて各エリアの照明装置を点灯させたり消灯させたりするとともに、各エリアの照明装置を点灯させた場合、前記エリア毎の照度測定値が、前記第１照度目標値および前記第２照度目標値のうち前記マスター制御装置が選択した一方と一致するように、各エリアに設置された照明装置を調光点灯させる動作制御部とを有する
ことを特徴とする請求項４記載の照明システム。
【発明の詳細な説明】
【技術分野】
【０００１】
本発明は、照明システムに関し、特に、照度制御に関する。
【背景技術】
【０００２】
従来から、照明装置が設置されるエリアの照度と総消費電力量とに基づいて、照明装置に入力する調光信号の調光率を制御する照明システムがある（例えば、特許文献１参照）。
この照明システムでは、明るさセンサ（照度測定手段）から得られる照度と、電力測定装置から得られる総消費電力量とに基づいて、制御装置が、総消費電力量を電力量上限値以下に維持しながらも、照度を一定に維持できるように、総消費電力量と照度を引数として照明装置の調光率を出力する目的関数を使って照明装置の調光率を調整する。
【先行技術文献】
【特許文献】
【０００３】
【特許文献１】特許第４７１４１０号公報
【発明の概要】
【発明が解決しようとする課題】
【０００４】
ところで、この種の照明システムは、例えば、商業施設のような広いフロアに設置される場合がある。この場合、フロア内で照度を均一にするために、１つのフロア内の複数エリアに明るさセンサを設置し、各エリアを同一照度で維持することが要請される。ここで、前述の目的関数は、照明システム全体の総消費電力量および各エリアの照度を引数として、複数エリアそれぞれに設置された照明装置の調光率を出力する関数となる。
【０００５】
しかしながら、特許文献１に記載された照明システムでは、照明装置を設置するエリア数が増減した場合、目的関数の引数および出力すべき調光率の数が増減するため、制御装置が用いる目的関数の内容を作り変えなければならない。こうなると、作り変えに、手間がかかってしまうため、問題である。
本発明は、上記事由に鑑みてなされたものであり、エリア数が変更された場合でも、容易に複数のエリア照度を制御することができる照明システムを提供することを目的とする。
【課題を解決するための手段】
【０００６】
上記課題を解決するために、本発明に係る照明システムは、全エリアの照明装置の総消費電力量が定められた電力量上限値を超えないように制御しつつ、エリア毎に独立した照明装置により照明する照明システムであって、マスター制御装置とスレーブ制御装置とを備える。マスター制御装置は、全エリアの照明装置の総消費電力量が電力量上限値を超えない範囲で各エリアの照度目標値を算出するとともに、算出した各エリアの照度目標値を示す信号を送出する。スレーブ制御装置は、送出された照度目標値を示す信号を受信し、エリア毎の照明装置に対して該当するエリアの照度目標値と一致するように調光率を制御する。
【発明の効果】
【０００７】
本構成によれば、エリアの増減を行う際、マスター制御装置やスレーブ制御装置での処理内容の変更に伴う処理プログラムの作り変え等を行う必要がないので、その分、エリアの増減の容易化を図ることができる。また、エリアの増減があっても、マスター制御装置総消費電力量が電力上限値を超えない範囲で最適な照度目標値をスレーブ制御装置に対して送出し続けることができるので、各エリアの照度を最適に維持することができる。
【図面の簡単な説明】
【０００８】
【図１】実施の形態１に係る照明システムの構成図である。
【図２】実施の形態１に係る照明システムで使用される信号のフォーマットを示す図である。
【図３】実施の形態１に係る照明システム全体の動作を示すシーケンス図である。
【図４】実施の形態１に係る電力情報制御部の動作を示すフローチャートである。
【図５】実施の形態１に係る電力情報制御部の動作を示すフローチャートである。
【図６】実施の形態１に係る電力情報制御部の動作を示すフローチャートである。
【図７】（ａ）は、実施の形態１に係る照度比／消費電力比相関テーブルに対応する曲線を示す図であり、（ｂ）は、実施の形態１に係る照度／消費電力予測相関テーブルに対応する曲線を示す図である。
【図８】実施の形態１に係る電力情報制御部の動作を示すフローチャートである。
【図９】実施の形態１に係る電力情報制御部の動作を示すフローチャートである。
【図１０】実施の形態１に係る第１照度目標値と第２照度目標値との関係を説明するための図である。
【図１１】実施の形態１に係るセンサアダプタの動作を示すフローチャートである。
【図１２】比較例に係る照明システムの構成図である。
【図１３】実施の形態２に係る照明システムで使用される信号のフォーマットを示す図である。
【図１４】実施の形態２に係る動作制御部の動作を示すフローチャートである。
【図１５】実施の形態３に係る電力情報制御部の動作を示すフローチャートである。
【図１６】実施の形態３に係る第１、第２、第３照度目標値の関係を説明するための図である。
【図１７】実施の形態４に係る電力情報制御部の動作を示すフローチャートである。
【図１８】実施の形態４に係る照明システムで使用される信号のフォーマットを示す図である。
【図１９】実施の形態４に係る照度比／消費電力比相関テーブルの一例を示す図である。
【図２０】変形例に係る照明システムで使用される信号のフォーマットを示す図である。
【発明を実施するための形態】
【０００９】
＜実施の形態１＞
＜１＞構成
本実施の形態に係る照明システムでは、コントローラが、上位システムから指示された電力量上限値に基づいて、照度目標値を決定し、コントローラに接続されたセンサアダプタが、コントローラで決定された照度目標値が示す照度で照明装置を点灯させる。
【００１０】
照明システムを示すブロック図を図１に示す。
照明システムは、１台のコントローラ（マスター制御装置）１０と、複数（図１では３台）のセンサアダプタ（スレーブ制御装置）３０と、複数の同型の照明装置５０と、電力測定装置７０とを備える。ここで、複数の照明装置５０には、商用電源１００から電力が供給される。また、コントローラ１０は、上位システム１１０と通信可能である。
【００１１】
ここで、上位システム１１０とは、使用電力量を管理するものであり、照明システム、空調・動力などの他の各システムに対して電力量を配分し、伝達するためのものである。本実施形態の上位システム１１０は、照明システムのユーザが電力量上限値を入力することができるユーザインターフェース装置と、ユーザインターフェース装置から入力された電力量上限値を示す信号をコントローラ１０に送信可能な通信装置とを備える。なお、上位システム１１０は、この電力量上限値を示す信号を定期的に送信するものであってもよいし、或いは、ユーザによる操作を受け付けたときに送信するものであってもよい。
【００１２】
＜１−１＞コントローラ
コントローラ１０は、上位システム１１０から得られる電力量上限値、電力測定装置７０で計測される電力計測値、照明環境を示す情報（例えば、最大消費電力量や最大照度）や照度／消費電力予測相関テーブルに基づいて、照度目標値を算出し、算出した照度目標値を示す信号を各センサアダプタ３０にブロードキャスト送信する。
【００１３】
コントローラ１０は、電力情報制御部１２と、記憶部１４と、計時部１６と、上位システム通信部１８と、電力測定値受信部２０とを備える。また、コントローラ１０には、電源をオンオフするための電源スイッチ（図示せず）と、コントローラ１０を初期化するための初期化スイッチ（図示せず）とが設けられている。そして、ユーザが電源スイッチを操作することによりコントローラ１０の電源オンオフが可能であり、ユーザが初期化スイッチを操作することによりコントローラ１０の初期化が可能である。
【００１４】
＜上位システム通信部＞
上位システム通信部１８は、アンテナ、送受信回路および信号処理回路から構成される。そして、上位システム通信部１８は、外部に設置された上位システム１１０から送信される電力量上限値を示す信号を受信して、電力量上限値を示すデータに変換する。そして、上位システム通信部１８は、受信信号を変換して得られた電力量上限値を示すデータを電力情報制御部１２に入力する。なお、上位システム通信部１８は、無線通信をするものに限られず、例えば、上位システム１１０と信号線を介して接続され、上位システム１１０との間で有線通信を行うものであってもよい。また、上位システム１１０と上位システム通信部１８との間の通信形態としては、回線交換方式であってもパケット交換方式であってもよい。
【００１５】
ここで、上位システム１１０から送信される信号のフォーマットの一例を図２（ａ）に示す。
この信号は、信号の始まりを示すビットパターンＭＳＢと、信号の送信元を識別するためのデータと、種別情報と、電力量上限値を示す数値情報と、誤り検出符号と、信号の終りを示すビットパターンＬＳＢとから構成される。ここで、種別情報は、電力量上限値の種別を示すものである。この種別としは、１時間当たりの総消費電力量に対する目標値、３０分間当たりの総消費電力量に対する目標値、或いは瞬時電力に対する目標値等がある。そして、電力測定値から総消費電力量を算出する際に、この種別情報を参考にする。ここで、総消費電力量とは、照明システム全体で消費される電力量に相当する。誤り検出符号は、信号に誤りが発生しているか否かを検出するためのビット列である。
【００１６】
なお、上位システム１１０から送信される信号のフォーマットは、図２に示すフォーマットに限定されるものではなく、上位システム１１０の仕様に応じて適宜変更してもよい。
＜電力測定値受信部＞
電力測定値受信部２０は、送受信回路および信号処理回路から構成される。そして、電力測定値受信部２０は、電力測定装置７０から送信される電力測定値を示す信号を受信して、電力測定値を示すデータに変換する。この電力測定値受信部２０は、電力測定装置７０に信号線を介して接続されており、電力測定装置７０との間で有線通信を行う。そして、電力測定値受信部２０は、電力測定値を示すデータを電力情報制御部１２に入力する。なお、電力測定値受信部２０は、有線通信をするものに限られず、例えば、アンテナを有し、電力測定装置７０との間で無線通信を行うものであってもよい。
【００１７】
＜記憶部＞
記憶部１４は、例えば、ＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）等の周知のメモリから構成される。この記憶部１４は、電力量上限値記憶領域１４ａと、電力測定値記憶領域１４ｂと、照明環境記憶領域１４ｃと、照度比／消費電力比相関テーブル記憶領域１４ｄと、照度／消費電力予測相関テーブル記憶領域１４ｅと、照度目標値記憶領域１４ｆとを有する。
【００１８】
電力量上限値記憶領域１４ａには、上位システム通信部１８から得られた電力量上限値を示すデータが記憶されている。
なお、電力量上限値記憶領域１４ａには、直近に取得したデータのみならず、過去に取得したデータの一部をも記憶するようにしてもよい。この場合、ユーザが上位システム１１０および上位システム通信部１８を介して電力量上限値記憶領域１４ａに記憶されたデータを取得できる構成とすれば、ユーザは、過去にコントローラ１０が取得した電力量上限値の履歴を追うことができる。従って、ユーザは、上位システム１１０に電力量上限値を入力する際、過去に使用された電力量上限値を参考にすることができるので、入力作業負担の軽減を図ることができる。
【００１９】
電力測定値記憶領域１４ｂには、電力測定装置７０から得られた電力測定値を示すデータが記憶されている。
照明環境記憶領域１４ｃには、照明システム全体の最大消費電力量を示すデータや最大照度を示すデータが格納されている。ここで、最大消費電力量および最大照度とは、外光が入らない状態で照明装置５０の全てを定格点灯させたときの総消費電力量および各エリアＡ１，Ａ２，Ａ３の照度に相当する。また、各エリアＡ１，Ａ２，Ａ３の照度にばらつきがある場合は、最大照度は、エリアＡ１，Ａ２，Ａ３における照度の平均値或いは最大値に相当する。
【００２０】
照度比／消費電力比相関テーブル記憶領域１４ｄは、照度比／消費電力比相関テーブルが記憶されている。この照度比／消費電力比相関テーブルは、明るさセンサ３６で測定された照度測定値と照明装置５０の消費電力量との比率に相当するものである。この照度比／消費電力比相関テーブルは、複数の照度比を示す数値データと、照度比それぞれに対応する消費電力比を示す数値データとから構成される２次元配列で与えられている。照度比および消費電力比は、いずれも０乃至１００の間の数値である。
【００２１】
照度／消費電力予測相関テーブル記憶領域１４ｅには、全エリアＡ１，Ａ２，Ａ３で共通の１つの照度／消費電力予測相関テーブルが記憶されている。この照度／消費電力予測相関テーブルは、照度比／消費電力比相関テーブルから予測される、エリアＡ１（Ａ２，Ａ３）の照度と総消費電力量との相関関係を表すものである。この照度／消費電力予測相関テーブルは、複数の照度を示す数値データと、各照度に対応する総消費電力量を示す数値データとから構成される２次元配列で与えられている。
【００２２】
照度目標値記憶領域１４ｆには、第１照度目標値および第２照度目標値が記憶されている。第１照度目標値は、予めユーザにより設定される。第２照度目標値は、電力量上限値および照度／消費電力予測相関テーブルから算出される値であり、詳細は後述する。
＜電力情報制御部＞
電力情報制御部１２は、プロセッサから構成され、各エリアＡ１，Ａ２，Ａ３のセンサアダプタ３０から別々に照度測定値を取得し、電力測定値および照度測定値に基づいて照度／消費電力予測相関テーブルを設定する。詳細は、＜照度／消費電力予測相関テーブル作成＞の欄で説明する。また、電力情報制御部１２は、電力量上限値と照度／消費電力予測相関テーブルとを用いて第２照度目標値を算出し、第１照度目標値と第２照度目標値のうち値の小さい方を選択する。そして、電力情報制御部１２は、選択した照度目標値を、当該照度目標値を示す信号に変換して各エリアＡ１，Ａ２，Ａ３のセンサアダプタ３０に対してブロードキャスト送信する。
【００２３】
ここで、電力情報制御部１２から各エリアＡ１，Ａ２，Ａ３のセンサアダプタ３０に対してブロードキャスト送信される照度目標値を示す信号のフォーマットの一例を図２（ｂ）に示す。
この信号は、信号の始まりを示すビットパターンＭＳＢと、照度目標値を示す数値データと、信号の終りを示すビットパターンＬＳＢとから構成される。
【００２４】
また、電力情報制御部１２は、上位システム通信部１８から入力された電力量上限値を示すデータおよび電力測定値受信部２０から入力された電力測定値を示すデータをそのまま記憶部１４に記憶する。
更に、電力情報制御部１２は、上位システム１１０から取得した電力量上限値を電力量上限値記憶領域１４ａに記憶したか否かを判別するための第１フラグＦ１と、ユーザにより初期化スイッチが操作されたか否かを判別するための第２フラグＦ２とを保持している。第１フラグＦ１および第２フラグＦ２は、例えば、電力情報制御部１２に内蔵されたレジスタ等から構成されている。
【００２５】
第１フラグＦ１は、電力量上限値が電力量上限値記憶領域１４ａに記憶されていない状態では「０」に設定されている。そして、電力情報制御部１２は、電力量上限値を電力量上限値記憶領域１４ａに記憶すると同時に第１フラグＦ１の値を「１」に設定する。
第２フラグＦ２は、通常は「０」に設定されており、初期化スイッチが一度押下されると「１」に設定される。
【００２６】
＜計時部、表示部＞
計時部１６は、時刻を計時するものである。計時部１６は、例えば、周知のハードウェアタイマから構成される。この計時部１６は、例えば、電力情報制御部１２が電力測定値受信部２０を介して電力測定装置７０に瞬時電力測定値要求信号を送信するタイミングや、電力情報制御部１２がセンサアダプタ３０に照度測定値要求信号を送信するタイミングを定めるために使用される（図５参照）。
【００２７】
表示部２２は、コントローラ１０の状態を表示するものである。この表示部２２は、例えば、液晶表示装置等から構成され、電力量上限値等を表示する。これにより、ユーザは、コントローラ１０が取得した電力量上限値を認識することができる。
＜１−２＞センサアダプタ
センサアダプタ３０は、自装置に接続された照明装置５０の調光率を調整する。ここにおいて、センサアダプタ３０は、照明装置５０に入力する調光信号の調光率を変化させることにより照明装置５０の点灯状態を制御する。そして、センサアダプタ３０は、自装置に対応するエリアＡ１，Ａ２，Ａ３の照度が、コントローラ１０から送出された照度目標値と一致するように、調光信号の調光率を変化させる。ここで、照度目標値は、第１照度目標値と第２照度目標値のうちのいずれかである。また、センサアダプタ３０は、自装置に対応するエリアＡ１，Ａ２，Ａ３における人の存否を検出し、検知結果に応じて照明装置５０を点灯させるか消灯させるかを決定する。具体的には、センサアダプタ３０は、自装置に対応するエリアＡ１，Ａ２，Ａ３に人が存在するときは、照明装置５０を点灯させ、一方、人が存在しないときは照明装置５０を消灯させる。
【００２８】
センサアダプタ３０は、動作制御部３２と、明るさセンサ（照度測定手段）３６と、人感センサ（人検知手段）３８と、表示部（報知手段）４０とを備える。また、センサアダプタ３０には、電源をオンオフするための電源スイッチ（図示せず）が設けられている。
＜明るさセンサ＞
明るさセンサ３６は、各エリアＡ１，Ａ２，Ａ３の照度を測定する。この明るさセンサ３６としては、例えば、周知のフォトＩＣを内蔵したものを採用すればよい。この場合、明るさセンサ３６は、エリアＡ１，Ａ２，Ａ３の照度に応じた光電流を出力する。
【００２９】
＜人感センサ＞
人感センサ３８は、各エリアＡ１，Ａ２，Ａ３に人がいるかどうか検知する。この人感センサ３８としては、例えば、周知の焦電素子を用いた赤外線センサを採用すればよい。この場合、人感センサ３８は、エリアＡ１，Ａ２，Ａ３内の人の存否に応じた電圧を出力する。なお、人感センサ３８としては、例えば、カメラ画像から人の存否を検出するセンサ等を採用してもよい。
【００３０】
＜動作制御部＞
動作制御部３２は、プロセッサ、記憶部および調光信号発生回路を備える。そして、動作制御部３２は、コントローラ１０から照度目標値を示す信号を受信すると、受信した照度目標値を示す信号に対して変換処理を施すことにより照度目標値を取得する。そして、動作制御部３２は、取得した照度目標値を記憶部に記憶するとともに、照度目標値に基づいて調光信号発生回路で発生させた調光信号を照明装置５０に入力する。また、動作制御部３２は、明るさセンサ３６から入力される光電流を数値データに変換することにより照度測定値を得る。また、動作制御部３２は、人感センサ３８から出力される電圧の大きさに基づいて、人の存否を示すデータに変換する。
【００３１】
ここにおいて、動作制御部３２は、明るさセンサ３６から得られた照度測定値が照度目標値と一致するように、調光信号の調光率を制御する。ここで、照度目標値は、第１照度目標値と第２照度目標値のうちのいずれかである。具体的には、動作制御部３２は、照度測定値と照度目標値とを比較し、照度目標値のほうが大きければ調光率を増加し、照度目標値のほうが小さければ調光率を減少させる。また、動作制御部３２は、照度測定値と照度目標値との差分が所定の範囲以内であれば調光率を変更しない。
【００３２】
また、動作制御部３２は、人感センサ３８から得られた人の存否を示すデータに基づいて、自装置と同一のエリアＡ１，Ａ２，Ａ３に設置された照明装置５０を点灯させたり消灯させたりする。ここで、動作制御部３２は、人の存否を示すデータが人が存在していることを示していると、照明装置５０に調光信号を入力することで照明装置５０を点灯させる。一方、動作制御部３２は、人の存否を示すデータが人が存在していることを示していると、照明装置５０に入力していた調光信号を遮断することにより照明装置５０を消灯させる。なお、動作制御部３２が、人の存否を示すデータが人が存在しないことを示していると、当該データに対応するエリアＡ１，Ａ２，Ａ３に設置された複数の照明装置５０の中の一部だけを点灯させて残りの照明装置５０を消灯させるようにしてもよい。
【００３３】
＜表示部＞
表示部４０は、コントローラ１０からの新たな照度目標値を受信する度に外部に報知する。この表示部４０としては、例えば、ブザー音を鳴動するスピーカやＬＥＤ等を用いた発光装置が挙げられる。このように、センサアダプタ３０が表示部４０を有することにより、照度目標値が変動する際、その旨がユーザに報知されるので、ユーザが明るさが変化することを認識することができ、照度変化に対するユーザの違和感を和らげることが出来る。
【００３４】
＜１−３＞照明装置
照明装置５０は、光源と、センサアダプタ３０から入力される調光信号の調光率に応じて光源の光量を制御するドライバ回路（図示せず）とを有している。ここで、照明装置５０の光源としては、例えば、ＬＥＤランプやＥＬ素子を用いた光源、蛍光ランプ、無電極放電ランプ等を採用すればよい。そして、照明装置５０は、センサアダプタ３０から入力される調光信号に基づいて光源を定格点灯させたり、調光点灯或いは消灯させたりする。
【００３５】
＜１−４＞電力測定装置
電力測定装置７０は、照明システム全体での瞬時の消費電力を測定し、測定して得られた電力測定値をコントローラ１０に送信する。また、電力測定装置７０は、予め設定された単位時間毎に、当該単位時間当たりの電力測定値の総和を算出してコントローラ１０に送信することもできる。更に、電力測定装置７０は、コントローラ１０との間で双方向通信が可能であり、コントローラ１０から送出された瞬時電力測定値要求信号を受信すると、瞬時の電力測定値を当該電力測定値を示す信号に変換してコントローラ１０に送信する。また、電力測定装置７０は、コントローラ１０から送出された単位時間電力測定値要求信号を受信すると、単位時間当たりの電力測定値の総和に相当する電力測定値を示す信号をコントローラ１０に対して送信する。
【００３６】
＜２＞動作
＜２−１＞照明システムの動作の概要
まず、照明システム全体の動作の概要について説明する。
本実施の形態に係る照明システムの動作を示すシーケンス図を図３に示す。図３は、照明システムの動作が定常状態にある場合を示している。
【００３７】
上位システム１１０は、電力量上限値を生成した後（ステップＳＴ１）、コントローラ１０に電力量上限値を通知される。
コントローラ１０は、上位システム１１０から電力量上限値が通知されると、電力量上限値の設定（ステップＳＴ２）および照度目標値の設定（ステップＳＴ３）を行う。そして、コントローラ１０は、照度目標値を設定した後、各エリアＡ１，Ａ２，Ａ３に対応するセンサアダプタ３０に対して照度目標値を通知する。
【００３８】
センサアダプタ３０は、自己が有する明るさセンサ３６を用いて照度を測定する（ステップＳＴ４）。その後、センサアダプタ３０は、測定して得られた照度測定値がコントローラ１０から通知された照度目標値と同じになるように照明装置５０に入力する調光信号の調光率を設定する（ステップＳＴ５）。
そして、センサアダプタ３０は、自装置と同じエリアＡ１，Ａ２，Ａ３に設置された複数の照明装置５０を調光点灯させる。
【００３９】
ここで、電力測定装置７０が照明システム全体に供給される電力を測定して（ステップＳＴ６）、コントローラ１０に対して電力測定値を通知すると、コントローラは、通知された電力測定値から得られる照明システム全体の総消費電力量と電力量上限値とに基づいて改めて照度目標値を設定する（ステップＳＴ７）。そして、コントローラ１０は、照度目標値を設定した後、各エリアＡ１，Ａ２，Ａ３に対応するセンサアダプタ３０に対して再び照度目標値を通知する。
【００４０】
センサアダプタ３０は、自装置が有する明るさセンサ３６を用いて照度を測定する（ステップＳＴ８）。その後、センサアダプタ３０は、コントローラ１０から通知された照度目標値と、測定して得られた照度測定値とを用いて照明装置５０の調光率を設定する（ステップＳＴ９）。
本実施の形態の照明システムでは、コントローラ１０が、上位システム１１０から通知される電力量上限値と、電力測定装置７０から通知される電力測定値から得られる総消費電力量とに基づいて、照度目標値を算出する。そして、各エリアＡ１，Ａ２，Ａ３に設置されたセンサアダプタ３０は、明るさセンサ３６により測定して得られた各エリアＡ１，Ａ２，Ａ３の照度測定値（照度）が、コントローラ１０から通知される照度目標値と一致するように照明装置５０の調光率を調整する。つまり、照度目標値を算出する処理と、各エリアＡ１，Ａ２，Ａ３を一定の照度で維持するための処理とが、コントローラ１０とセンサアダプタ３０とに分散されている。
【００４１】
＜２−２＞コントローラの動作
コントローラ１０は、電力測定装置７０により測定された電力測定値から得られる総消費電力量と、センサアダプタ３０が有する明るさセンサ３６により測定された照度測定値とを取得し、総消費電力量および照度測定値に基づいて照度／消費電力量予測相関テーブルを作成する。その後、コントローラ１０は、各エリアＡ１，Ａ２，Ａ３の照度と総消費電力量との相関関係を示す各エリアＡ１，Ａ２，Ａ３で共通の１つの照度／消費電力予測相関テーブルと、ユーザにより予め設定されている第１照度目標値とを保持している。そして、コントローラ１０は、電力量上限値と照度／消費電力予測相関テーブルとに基づいて第２照度目標値を算出し、第１照度目標値および第２照度目標値のうち値の小さい方を照度目標値として選択する。続いて、コントローラ１０は、照度目標値をセンサアダプタ３０に送信する。
【００４２】
このコントローラ１０の動作は、全てコントローラ１０の一部を構成する電力情報制御部１２により制御されている。そこで、以下では、電力情報制御部１２の動作について詳細に説明する。
電力情報制御部１２の動作全体を示すフローチャートを図４に示す。
まず、電源がオンすると（ステップＳ１１参照）、電力情報制御部１２は、照明環境設定処理を行う（ステップＳ１２）。ここでは、電力情報制御部１２が、照明装置５０の全てを定格点灯させたときの消費電力量（最大消費電力量）および照度（最大照度）を取得する。
【００４３】
次に、電力情報制御部１２は、照度／消費電力予測相関テーブル作成処理を行う（ステップＳ１３）。ここでは、電力情報制御部１２が、取得した最大消費電力量および最大照度に基づいて照度／消費電力予測相関テーブルを設定する。
以上説明したステップＳ１１乃至Ｓ１３の処理は、コントローラ１０の電源がオンした直後或いは初期化スイッチが押下された場合に一度だけ行われる。
【００４４】
続いて、電力情報制御部１２は、上位システム１１０から電力量上限値を取得する電力量上限値取得処理を行う（ステップＳ１４）。
その後、電力情報制御部１２は、照度／消費電力予測相関テーブルおよび電力量上限値を用いて照度目標値を設定し、各エリアＡ１，Ａ２，Ａ３に設置されたセンサアダプタ３０に照度目標値を示すデータを送信する照度目標値設定、送信処理を行う（ステップＳ１５）。
【００４５】
次に、電力情報制御部１２は、初期化スイッチが押下されたか否かを判定する（ステップＳ１６）。ここでは、電力情報制御部１２は、第２フラグＦ２が「１」に設定されているか否かを判定する。
ステップＳ１６において、初期化スイッチが押下された、即ち、第２フラグＦ２が「１」に設定されていると判定されると（ステップＳ１６：Ｙｅｓ）、電力情報制御部１２は、再び、ステップＳ１２の処理に移行する。
【００４６】
一方、ステップＳ１６において、初期化スイッチが押下されていない、即ち、第２フラグＦ２が「１」で維持されていると判定されると（ステップＳ１６：Ｎｏ）、電力情報制御部１２は、電源オフ操作がされたか否かを判定する（ステップＳ１７）。
ステップＳ１７において、電源オフ操作がされたと判定されると（ステップＳ１７：Ｙｅｓ）、電力情報制御部１２は、第１フラグＦ１を「０」に設定した後（ステップＳ１９）停止する。
【００４７】
一方、ステップＳ１７において、電源オフ操作がされていないと判定されると（ステップＳ１７：Ｎｏ）、電力情報制御部１２は、所定時間だけ待機した後（ステップＳ１８）、ステップＳ１４の処理に移行する。ここで、所定時間は、例えば、３０分や１時間に設定される。
そして、電力情報制御部１２は、電源オフ操作がされない限り、ステップＳ１４乃至Ｓ１８の処理を繰り返すことで、各エリアＡ１，Ａ２，Ａ３のセンサアダプタ３０に対して照度目標値を繰り返しブロードキャスト送信する。
【００４８】
＜照明環境設定＞
電力情報制御部１２は、照明環境設定において、照度／消費電力予測相関テーブルの設定に必要な情報（後述の最大消費電力量およびエリアＡ１，Ａ２，Ａ３毎の最大照度）を取得する。
以下、照度環境設定について詳細に説明する。
【００４９】
照度環境設定における電力情報制御部１２の動作を示すフローチャートを図５に示す。
まず、電力情報制御部１２は、センサアダプタ３０の動作制御部３２に対して、全ての照明装置５０を定格点灯させるよう指示する（ステップＳ２１）。このとき、照明システムが設置されている環境に外光が入らないようにしている。具体的には、電力情報制御部１２が、動作制御部３２に対して、照明装置５０に入力する調光信号の調光率を１００％とするように指示する。
【００５０】
次に、電力情報制御部１２は、電力測定装置７０に対して瞬時電力値を要求するための瞬時電力値要求信号を送信する（ステップＳ２２）。具体的には、電力情報制御部１２が、電力測定値受信部２０を介して送信する。そして、電力測定装置７０は、瞬時電力値要求信号を受信すると、瞬時の電力測定値を電力測定値を示す信号に変換し送信する。
続いて、電力情報制御部１２は、電力測定値受信部２０が電力測定値を示す信号を受信したか否かを判定する（ステップＳ２３）。
【００５１】
ステップＳ２３において、電力測定値受信部２０が、所定時間、電力測定値を示す信号を受信していないと判定すると（ステップＳ２３：Ｎｏ）、電力情報制御部１２は、再び、瞬時電力値要求信号を送信する（ステップＳ２２）。例えば、電力情報制御部１２は、瞬時電力測定値要求信号を送信してから１０ｓ間、電力測定値を示す信号を受信しない場合は再び、瞬時電力測定値要求信号を送信する。ここにおいて、所定時間の計時は、計時部１６が行う。そして、電力情報制御部１２は、電力測定値受信部２０が電力測定値を示す信号を受信しない限り、所定時間の周期で瞬時電力測定値要求信号を断続的に送信する。
【００５２】
一方、ステップＳ２３において、電力測定値受信部２０が電力測定値を示す信号を受信したと判定されると（ステップＳ２３：Ｙｅｓ）、電力情報制御部１２は、電力測定値受信部２０が受信した電力測定値を示す信号に変換処理を施して電力測定値を取得する（ステップＳ２４）。
その後、電力情報制御部１２は、取得した電力測定値に基づいて最大消費電力量を算出する（ステップＳ２５）。具体的には、電力情報制御部１２が、取得した瞬時電力値が一定時間（例えば、３０分）だけ継続したと想定して、瞬時電力値から時間積分して得られる値を最大消費電力量として算出する。
【００５３】
次に、電力情報制御部１２は、算出した最大消費電力量を記憶部１４の照明環境記憶領域１４ｃに記憶する（ステップＳ２６）。
続いて、電力情報制御部１２は、センサアダプタ３０に対して照度測定値を要求するための照度測定値要求信号を送信する（ステップＳ２７）。ここで、各センサアダプタ３０の動作制御部３２は、照度測定値要求信号を受信すると、自己が有する明るさセンサ３６で測定して得られた照度測定値を示す信号を電力情報制御部１２に送信する。
【００５４】
その後、電力情報制御部１２は、センサアダプタ３０から照度測定値を示す信号を受信したか否かを判定する（ステップＳ２８）。
ステップＳ２８において、照度測定値を示す信号を受信していないと判定されると（ステップＳ２８：Ｎｏ）、電力情報制御部１２は、再び、照度測定値要求信号を送信する（ステップＳ２７）。例えば、電力情報制御部１２は、照度測定値要求信号を送信してから１０ｓ間、照度測定値を示す信号を受信しない場合は、再び照度測定値要求信号を送信する。ここにおいて、所定時間の計時は、計時部１６が行う。そして、電力情報制御部１２は、照度測定値を示す信号を受信しない限り、所定時間の周期で照度測定値要求信号をセンサアダプタ３０に対して断続的に送信する。
【００５５】
一方、ステップＳ２８において、照度測定値を示す信号を受信したと判定されると（ステップＳ２８：Ｙｅｓ）、電力情報制御部１２は、照度測定値を示す信号に対して変換処理を施すことにより、各エリアＡ１，Ａ２，Ａ３の照度測定値を取得する（ステップＳ２９）。
次に、電力情報制御部１２は、取得したエリアＡ１，Ａ２，Ａ３毎の照度測定値を最大照度として、記憶部１４の照明環境記憶領域１４ｃに記憶する（ステップＳ２８）。ここにおいて、各エリアＡ１，Ａ２，Ａ３の照度測定値にばらつきがある場合は、電力情報制御部１２は、エリアＡ１，Ａ２，Ａ３における照度測定値の平均値或いは最大値を最大照度として記憶する。
【００５６】
＜照度／消費電力予測相関テーブル作成＞
照度／消費電力予測相関テーブル作成処理では、電力情報制御部１２が、照度環境設定で取得した最大消費電力量および最大照度と、照度比／消費電力比相関テーブルとを用いて、照度／消費電力予測相関テーブルを設定する。ここにおいて、照度比／消費電力比相関テーブルは、前述のように記憶部１４の照度比／消費電力比相関テーブル記憶領域１４ｄに予め記憶されている。
【００５７】
以下、照度／消費電力予測相関テーブル作成処理の内容について詳細に説明する。
照度／消費電力予測相関テーブル作成における動作を示すフローチャートを図６に示す。
まず、電力情報制御部１２が、照度比／消費電力比相関テーブルを、記憶部１４の照度比／消費電力比相関テーブル記憶領域１４ｄから取得する（ステップＳ３１）。ここにおいて、照明システムに含まれる照明装置は、全て同種であるとし、照明システム内のすべての照明装置における、照度比／消費電力比相関テーブルは同じであるとする。
【００５８】
照度比／消費電力比相関テーブルの内容の一例を図７（ａ）に示す。
図７（ａ）に示すように、照度比／消費電力比相関テーブルの内容は、消費電力比の照度比に対する依存性を示す曲線である。
次に、電力情報制御部１２は、最大消費電力量を、記憶部１４の照明環境記憶領域１４ｃから取得する（ステップＳ３２）。
【００５９】
続いて、電力情報制御部１２は、エリアＡ１，Ａ２，Ａ３毎の最大照度を、記憶部１４の照明環境記憶領域１４ｃから取得する（ステップＳ３３）。
その後、電力情報制御部１２は、取得した照度比／消費電力比相関テーブル、最大消費電力量予測値および最大照度値を用いて、照度／消費電力予測相関テーブルを作成する（ステップＳ３４）。ここで、電力情報制御部１２は、照度比／消費電力比相関テーブルに基づいて、照度／消費電力予測相関テーブルを作成する。この照度比／消費電力比相関テーブルは、（Ｌ１（ｋ），Ｅ１（ｋ））（ｋ＝０，１，２，ｎ−１）で表されるような２次元配列で構成されている。
【００６０】
照度比と消費電力比との相関関係を示すグラフを図７（ａ）に示す。
ここにおいて、２次元配列（Ｌ１（ｋ），Ｅ１（ｋ））は、図７（ａ）における、曲線Ｃ１上の点に相当する。
そして、電力情報制御部１２は、式（１）で表されるような換算を行い新たな２次元配列を生成する。
【００６１】
【数１】
2014002889.tif 000003
【００６２】
ここで、Ｌｍａｘは、最大照度値を示し、Ｅｍａｘは、最大消費電力量を示し、（Ｌ２（ｋ），Ｅ２（ｋ））（ｋ＝０，１，２，・・・，ｎ−１）が新たに生成される２次元配列を示す。この２次元配列（Ｌ２（ｋ），Ｅ２（ｋ））（ｋ＝０，１，２，・・・，ｎ−１）が、照度／消費電力予測相関テーブルを構成する。
照度と消費電力との相関関係を示すグラフを図７（ｂ）に示す。図７（ｂ）において、Ｌｍａｘは、最大照度値を示し、Ｅｍａｘは、最大消費電力量を示す。
【００６３】
ここにおいて、２次元配列（Ｌ２（ｋ），Ｅ２（ｋ））は、図７（ｂ）における、曲線Ｃ２上の点に相当する。つまり、電力情報制御部１２は、照度／消費電力予測相関テーブルを作成する処理において、図７（ａ）に示す曲線Ｃ１を図７（ｂ）に示す曲線Ｃ２に一次変換する処理を行っている。
次に、電力情報制御部１２は、作成した照度／消費電力予測相関テーブルを照度／消費電力予測相関テーブル記憶領域１４ｅに記憶する（ステップＳ３５）。
【００６４】
続いて、電力情報制御部１２は、第２フラグＦ２を「０」に設定する（ステップＳ３６）。ここにおいて、第２フラグＦ２が予め「０」に設定されている場合、第２フラグＦ２の内容は「０」で維持されることになる。
以上説明したように、照明環境設定処理において、電力情報制御部１２は、全ての照明装置５０を定格点灯させることにより、最大消費電力量およびエリアＡ１，Ａ２，Ａ３毎の最大照度を取得する。そして、照度／消費電力予測相関テーブル作成処理において、電力情報制御部１２は、取得した最大消費電力量およびエリアＡ１，Ａ２，Ａ３毎の最大照度を用いて、照度／消費電力予測相関テーブルを作成する。このように、電力情報制御部１２が照明環境設定、照度／消費電力予測相関テーブル作成を行うだけで、簡単に、照明システムの設置状態に応じた照度／消費電力予測相関テーブルを作成することができる。
【００６５】
＜電力量上限値設定＞
電力量上限値設定処理では、電力情報制御部１２が、上位システム１１０からコントローラ１０の上位システム通信部１８へのアクセスがあったか否かを判定する。そして、上位システム１１０から上位システム通信部１８へのアクセスがあった場合、電力情報制御部１２は、上位システム１１０から送信される電力量上限値を示す信号に対して変換処理を施すことにより電力量上限値を取得し、記憶部１４に記憶する。
【００６６】
以下、電力量上限値設定処理の内容について詳細に説明する。
コントローラ１０の電力量上限値設定における電力情報制御部１２の動作のフローチャートを図８に示す。
まず、電力情報制御部１２は、上位システム１１０からのアクセスがあるか否かについて判定する（ステップＳ４１）。具体的には、電力情報制御部１２は、上位システム通信部１８から電力量上限値を示すデータが入力されたか否かを判定する（ステップＳ４１）。
【００６７】
ステップＳ４１において、上位システム１１０からのアクセスがないと判定されると（ステップＳ４１：Ｎｏ）、電力情報制御部１２は、そのまま電力量上限値設定処理を終了する。
一方、ステップＳ４１において、上位システム１１０からのアクセスが有ると判定されると（ステップＳ４１：Ｙｅｓ）、電力情報制御部１２は、上位システム通信部１８から入力される電力量上限値を示すデータを取得する（ステップＳ４２）。
【００６８】
続いて、電力情報制御部１２は、取得した電力量上限値を示すデータを記憶部１４の電力量上限値記憶領域１４ａに記憶する（ステップＳ４３）。同時に、電力情報制御部１２は、第１フラグＦ１の値を「１」に設定する。
＜照度目標値設定、送信＞
照度目標値設定、送信処理では、電力情報制御部１２が、照度／消費電力予測相関テーブルと、電力量上限値とに基づいて照度目標値を算出し、センサアダプタ３０に対してブロードキャスト送信する。
【００６９】
以下、照度目標値設定について詳細に説明する。
コントローラ１０の電力量上限値設定における電力情報制御部１２の動作のフローチャートを図９に示す。
まず、電力情報制御部１２は、電力量上限値が記憶部１４の電力量上限値記憶領域１４ａに記憶されているか否かを判定する（ステップＳ５１）。具体的には、電力情報制御部１２は、自己が保持する第１フラグＦ１が「１」に設定されているか否かを判定する。ここで、上位システム１１０から上位システム通信部１８に対してアクセスがあった場合、電力量上限値が電力量上限値記憶領域１４ａに記憶されるとともに第１フラグＦ１が「１」に設定される。一方、上位システム１１０から上位システム通信部１８へのアクセスがない場合、電力量上限値が電力量上限値記憶領域１４ａに記憶されておらず、第１フラグＦ１が「０」に設定されている。言い換えれば、ステップＳ５１において、電力情報制御部１２は、上位システム通信部１８に対して上位システム１１０からのアクセスがあったか否かを判定している。
【００７０】
ステップＳ５１において、電力量上限値が記憶されていない、即ち、第１フラグＦ１が「０」に設定されていると判定されると（ステップＳ５１：Ｎｏ）、電力情報制御部１２は、記憶部１４の照度目標値記憶領域１４ｆから第１照度目標値を取得して、各エリアＡ１，Ａ２，Ａ３のセンサアダプタ３０に対してブロードキャスト送信する（ステップＳ５２）。
【００７１】
一方、ステップＳ５１において、電力量上限値が記憶されている、即ち、第１フラグＦ１が「１」に設定されていると判定されると（ステップＳ５１：Ｙｅｓ）、電力情報制御部１２は、記憶部１４の電力量上限値記憶領域１４ａから電力量上限値を取得する（ステップＳ５３）。
次に、電力情報制御部１２は、記憶部１４の照度／消費電力予測相関テーブル記憶領域１４ｅに記憶された照度／消費電力予測相関テーブルを参照して、第２照度目標値を算出する（ステップＳ５４）。具体的には、電力情報制御部１２は、照度／消費電力予測相関テーブルの消費電力Ｅ（ｋ）（ｋ＝０，１，２，・・・，ｎ−１）の中から適宜の検索方向を用いて電力量上限値に最も近い消費電力Ｅ（ｋ０）を検出する。そして、消費電力Ｅ（ｋ０）に対応する照度Ｌ（ｋ０）を第２照度目標値として選出し、記憶部１４の照度目標値記憶領域１４ｆに記憶する。
【００７２】
続いて、電力情報制御部１２は、記憶部１４の照度目標値記憶領域１４ｆから第１照度目標値を取得する（ステップＳ５５）。
その後、電力情報制御部１２は、第１照度目標値が第２照度目標値よりも大きいか否かを判定する（ステップＳ５６）。
ステップＳ５６において、第１照度目標値が第２照度目標値よりも大きい場合、電力情報制御部１２は、第２照度目標値を第２照度目標値を示す信号に変換して各エリアＡ１，Ａ２，Ａ３のセンサアダプタ３０に対してブロードキャスト送信する（ステップＳ５７）。
【００７３】
一方、ステップＳ５６において、第１照度目標値が第２照度目標値以下の場合、電力情報制御部１２は、第１照度目標値を第１照度目標値を示す信号に変換して各エリアＡ１，Ａ２，Ａ３のセンサアダプタ３０に対してブロードキャスト送信する（ステップＳ５２）。
第１照度目標値、第２照度目標値および照度／消費電力量予測相関テーブルとの関係を図１０（ａ）および（ｂ）に示す。
【００７４】
図１０（ａ）に示すように、予め定められた第１照度目標値が、電力量上限値から定まる第２照度目標値よりも大きい場合、第１照度目標値に対応する消費電力は、電力量上限値よりも大きくなってしまう。この場合、電力情報制御部１２は、センサアダプタ３０に対して第２照度目標値を示す信号を送信することで、消費電力が電力量上限値で維持されるようにする。
【００７５】
一方、図１０（ｂ）に示すように。予め定められた第１照度目標値が、電力量上限値から定まる第２照度目標値よりも小さい場合、第１照度目標値に対応する消費電力も、電力量上限値よりも小さくなる。この場合、電力情報制御部１２は、センサアダプタ３０に対して第１照度目標値を示す信号を送信する。
以上説明したように、コントローラ１０は、ユーザの快適性に基づく第１照度目標値と、電力量上限値に基づく第２照度目標値のうち値の小さい方を選択してセンサアダプタ３０に送出する。これにより、電力量上限値を満足できる範囲で、ユーザの快適性を満足できる照度にすることができる。さらに人感センサ制御や明るさセンサ制御によって、より省エネが図れる。
【００７６】
ところで、ステップＳ５１乃至ステップＳ５７の一連の処理から判るように、電力情報制御部１２は、まず、上位システム通信部１８に対して上位システム１１０からのアクセスがあったか否かを判定する。そして、電力情報制御部１２は、上位システム１１０からのアクセスがあった場合、第２照度目標値を算出し、上位システム１１０からのアクセスがない場合、第２照度目標値を算出せずに、第１照度目標値をそのまま送出する。これにより、上位システム１１０からアクセスがない間、センサアダプタ３０に照度目標値を示す信号が全く送信されず、照明装置５０の不点灯状態が継続してしまうのを防止できる。
【００７７】
＜２−３＞センサアダプタの動作
センサアダプタ３０は、取得した照度目標値と明るさセンサ３６から得られる照度測定値とが一致するように、照明装置５０の調光率を調整する。このセンサアダプタ３０は、センサアダプタ３０の一部を構成する動作制御部３２により制御されている。
以下、動作制御部３２の動作について詳細に説明する。
【００７８】
動作制御部３２の動作を示すフローチャートを図１１に示す。
まず、電源がオンすると（ステップＳ２１１参照）、動作制御部３２は、人感センサ３８が人を検知しているか否かを判定する（ステップＳ２１２）。ここにおいて、動作制御部３２は、人感センサ３８から得られる人の存否を示すデータに基づいて、人感センサ３８が人の存在を検知しているか否かを判定する。
【００７９】
ステップＳ２１２において、人感センサ３８が人の存在を検知していないと判定されると（ステップＳ２１２：Ｎｏ）、動作制御部３２は、再び、人感センサ３８が人の存在を検知しているか否かの判定を行う（ステップＳ２１２）。そして、動作制御部３２は、人感センサ３８が人の存在を検知するまでステップＳ２１２の処理を繰り返す。
一方、ステップＳ２１２において、人感センサ３８が人の存在を検知していると判定されると（ステップＳ２１２：Ｙｅｓ）、動作制御部３２は、照明装置５０を点灯させることで、照明装置５０を点灯させる（ステップＳ２１３）。このステップ２１２およびステップ２１３の処理により、動作制御部３２は、人が存在しない間は照明装置５０を消灯状態で維持する。なお、動作制御部３２は、電源オンと同時に照明装置５０の調光率を予め決められた調光率に設定し、人感センサ３８が人の存在を検知すると、照明装置５０の調光率を上昇させるようにしてもよい。
【００８０】
次に、動作制御部３２は、コントローラ１０から照度目標値を示す信号を受信したか否かを判定する（ステップＳ２１４）。ここで、照度目標値は、第１目標値または第２目標値のいずれかである。
ステップＳ２１４において、照度目標値を示す信号を受信していないと判定されると（ステップＳ２１４：Ｎｏ）、動作制御部３２は、再び、照度目標値を示す信号を受信したか否かの判定を行う（ステップＳ２１４）。そして、動作制御部３２は、照度目標値を示す信号を受信するまでステップＳ２１４の処理を繰り返す。
【００８１】
一方、ステップＳ２１４において、照度目標値を受信したと判定されると（ステップＳ２１４：Ｙｅｓ）、動作制御部３２は、照度目標値を示す信号を変換して照度目標値を取得する（ステップＳ２１５）。ここで、動作制御部３２は、取得した照度目標値を自己が有する記憶部に記憶する。
次に、動作制御部３２は、センサアダプタ３０の一部を構成する明るさセンサ３６から照度測定値を取得する（ステップＳ２１６）。
【００８２】
次に、動作制御部３２は、自己の記憶部に記憶された照度目標値と照度測定値とを比較して、照度目標値が照度測定値よりも大きいか否かを判定する（ステップＳ２１７）。
ステップＳ２１７において、照度目標値が照度測定値よりも大きいと判定されると（ステップＳ２１７：Ｙｅｓ）、動作制御部３２は、照明装置５０の調光率を増加させる（ステップＳ２１８）。ここにおいて、動作制御部３２は、調光率を予め定められた単位変化量だけ増加させる。単位変化量とは、照明装置の調光率を段階的に変化させる際における、１回当たりの調光率の変化量をいう。
【００８３】
例えば、単位変化量が、１％に設定されている場合、動作制御部３２は、調光率を１％だけ増加させる。このステップＳ２１８の処理を行う毎に、単位変化量ずつ調光率が増加していく。
続いて、動作制御部３２は、照度目標値と照度測定値との差分絶対値ΔＬが閾値ΔＬｔｈよりも大きいか否かを判定する（ステップＳ２１９）。この閾値ΔＬｔｈは、例えば、１０［ｌｘ］乃至１５［ｌｘ］に設定されている。また、動作制御部３２は、予めこの閾値ΔＬｔｈを示す数値データを保持している。
【００８４】
また、ステップＳ２１７において、照度目標値が照度測定値以下と判定されると（ステップＳ２１７：Ｎｏ）、動作制御部３２は、照度目標値が照度測定値よりも小さいか否かを判定する（ステップＳ２２０）。
ステップＳ２２０において、照度目標値が照度測定値よりも小さいと判定されると（ステップＳ２２０：Ｙｅｓ）、動作制御部３２は、照明装置５０の調光率を減少させる（ステップＳ２２１）。ここにおいて、動作制御部３２は、調光率を予め定められた単位変化量だけ減少させる。このステップＳ２２１の処理を行う毎に、単位変化量ずつ調光率が減少していく。その後、動作制御部３２は、前述のステップＳ２１９の処理を行う。
【００８５】
一方、ステップＳ２２０において、照度目標値が照度測定値に等しいと判定されると（ステップＳ２２０：Ｎｏ）、動作制御部３２は、そのまま前述のステップＳ２１９の処理を行う。
ステップＳ２１９において、差分絶対値ΔＬが閾値ΔＬｔｈよりも大きいと判定されると（ステップＳ２１９：Ｎｏ）、動作制御部３２は、再び、ステップＳ２１５の処理を行う。
【００８６】
一方、ステップＳ２１９において、差分絶対値ΔＬが閾値ΔＬｔｈ以下と判定されると（ステップＳ２１９：Ｙｅｓ）、動作制御部３２は、電源オフ操作がなされたか否かを判定する（ステップＳ２２２）。
ステップＳ２２２において、電源オフ操作がなされたと判定されると（ステップＳ２２２：Ｙｅｓ）、動作制御部３２は、処理を終了する。
【００８７】
一方、ステップＳ２２２において、電源オフ操作がなされていないと判定されると（ステップＳ２２２：Ｎｏ）、動作制御部３２は、再び、人感センサ３８が人の存在を検知しているか否かを判定する（ステップＳ２２３）。
ステップＳ２２３において、人感センサ３８が人の存在を検知していないと判定されると（ステップＳ２２２：Ｎｏ）、動作制御部３２は、照明装置５０を消灯させる（ステップＳ２２４）。その後、動作制御部３２は、再び、ステップＳ２１２以降の処理を行う。
【００８８】
一方、ステップＳ２２３において、人感センサ３８が人の存在を検知していると判定されると（ステップＳ２２３：Ｙｅｓ）、動作制御部３２は、コントローラ１０から照度目標値を示す信号を受信したか否かを判定する（ステップＳ２２５）。
ステップＳ２２５において、照度目標値を示す信号を受信したと判定されると（ステップＳ２２５：Ｙｅｓ）、動作制御部３２は、ステップＳ２１５以降の処理を行う。
【００８９】
一方、ステップＳ２２５において、照度目標値を示す信号を受信していないと判定されると（ステップＳ２２５：Ｎｏ）、動作制御部３２は、ステップＳ２１６以降の処理を行う。
以上のように、センサアダプタ３０は、電源オフ操作がされない限り、ステップＳ２１２乃至Ｓ２２５の処理を繰り返す。これにより、照明装置５０の照度を照度目標値との差が閾値ΔＬｔｈ以内となるように維持することができる。
【００９０】
また、センサアダプタ３０は、エリアＡ１，Ａ２，Ａ３毎に設けられているので、エリアＡ１，Ａ２，Ａ３間で外光の影響等が異なっていても全てのエリアＡ１，Ａ２，Ａ３を照度目標値が示す照度で同一に維持することができる。更に、動作制御部３２は、人感センサ３８による人検知結果に応じて、照明装置５０を点灯させるか消灯させるかを決定する。具体的には、動作制御部３２は、エリアＡ１，Ａ２，Ａ３内に人が存在しない場合は、当該エリアＡ１，Ａ２，Ａ３に設置した照明装置５０を消灯させる。これにより、照明システムの消費電力低減を図ることができる。
【００９１】
＜３＞エリア数の変更方法について
次に、本実施の形態に係る照明システムにおけるエリア数の変更方法について説明する。
本実施の形態に係る照明システムでは、新たなエリア（ここでは、「エリアＡ４」と称する。）を増設する場合、まず、エリアＡ４に設置されたセンサアダプタ３０をコントローラ１０に通信可能な状態、即ち、コントローラ１０から照度目標値を示す信号を受信できる状態で接続する。
【００９２】
次に、初期化スイッチを押下すると、コントローラ１０の電力情報制御部１２が、エリアＡ１乃至Ａ４に設置された照明装置５０全てを定格点灯させたときにおける総消費電力量（最大消費電力量）および照度（最大照度）を取得し、取得した最大消費電力および最大照度を用いて照度／消費電力予測相関テーブルを自動的に作り直す（図４におけるステップＳ１２，Ｓ１３参照）。
【００９３】
その後、電力情報制御部１２は、記憶部１４の電力量上限値記憶領域１４ａから電力量上限値を取得し、新たな照度目標値をエリアＡ１乃至Ａ４に設置された各センサアダプタ３０にブロードキャスト送信する（図４におけるステップＳ１４，Ｓ１５の処理）。以後、電力情報制御部１２は、照明システムがオフしない限り、エリアＡ１乃至Ａ４に設置された各センサアダプタ３０への照度目標値の送信を繰り返す。ここで、電力情報制御部１２が行う処理内容は、エリアＡ４の増設の前後で変更はない。
【００９４】
一方、エリアＡ４に設置されたセンサアダプタ３０の動作制御部３２は、エリアＡ４の照度がコントローラ１０から取得した照度目標値に一致するようにエリアＡ４の照明装置５０の調光率を調整する。これにより、エリアＡ４の照度は、他のエリアＡ１乃至Ａ３の照度と同一に維持することができる。ここで、動作制御部３２が行う処理内容は、エリアＡ４の増設の前後で変更はない。
【００９５】
また、エリアを減らす場合、例えば、エリアＡ３を削減する場合、まず、エリアＡ３に設置されたセンサアダプタ３０とコントローラ１０との接続を遮断する。
次に、初期化スイッチを押下すると、コントローラ１０の電力情報制御部１２が、エリアＡ１およびＡ２に設置された照明装置５０全てを定格点灯させたときにおける総消費電力（最大消費電力）および照度（最大照度）を取得し、取得した最大消費電力および最大照度を用いて照度／消費電力予測相関テーブルを自動的に作り直す（図４におけるステップＳ１２，Ｓ１３参照）。
【００９６】
その後、電力情報制御部１２は、記憶部１４の電力量上限値記憶領域１４ａから電力量上限値を取得し、新たな照度目標値をエリアＡ１およびＡ２に設置された各センサアダプタ３０にブロードキャスト送信する（図４におけるステップＳ１４，Ｓ１５の処理）。以後、電力情報制御部１２は、照明システムがオフしない限り、エリアＡ１乃至Ａ４に設置された各センサアダプタ３０への照度目標値の送信を繰り返す。ここにおいて、電力情報制御部１２が行う処理内容は、エリアＡ３の削減の前後で変更はない。
【００９７】
一方、エリアＡ１およびＡ２に設置されたセンサアダプタ３０の動作制御部３２は、エリアＡ１およびＡ２の照度が取得した照度目標値に一致するように照明装置５０の調光率を調整する。これにより、エリアＡ１およびＡ２の照度は、同一に維持することができる。ここにおいて、動作制御部３２が行う処理内容は、エリアＡ３の削減の前後で変更はない。
【００９８】
以上説明したように、本実施の形態に係る照明システムでは、エリアの増減を行う際、まず、エリアＡ４のセンサアダプタ３０とコントローラ１０とを通信可能な状態で接続する、或いは、エリアＡ３のセンサアダプタ３０とコントローラ１０との通信を遮断する。その後、コントローラ１０の初期化スイッチを押下すると、照明システム全体の総消費電力量が電力量上限値を超えないようにしながらも各エリアの照度を同一に維持することができる。つまり、エリアの増減を行う際、コントローラ１０やセンサアダプタ３０が行う処理内容（処理プログラム）の作り変え等を行う必要がないので、その分、エリアの増減の容易化を図ることができる。
【００９９】
また、各エリアＡ１，Ａ２，Ａ３のセンサアダプタ３０は、一度照度目標値を取得すれば、その後、自装置に対応するエリアＡ１，Ａ２，Ａ３の照度が照度目標値に一致するように照明装置５０の調光率を調整し続ける。これにより、エリアＡ４を増設する際にコントローラ１０の電源をオフにしたとしても、他のエリアＡ１，Ａ２，Ａ３の照度を照度目標値で維持することができる。従って、エリアＡ４を増設する際、他のエリアＡ１，Ａ２，Ａ３に存在する人に不快感を与えることがないという利点がある。
【０１００】
＜４＞まとめ
結局、本実施の形態に係る照明システムは、コントローラ１０が、総消費電力量が電力量上限値を超えないように各エリアＡ１，Ａ２，Ａ３の照度目標値を算出してから、センサアダプタ３０が、各エリアＡ１，Ａ２，Ａ３の照度が当該照度目標値に一致するように各エリアＡ１，Ａ２，Ａ３に設置された照明装置５０の調光率をエリアＡ１，Ａ２，Ａ３毎に個別に調整する。
【０１０１】
ここで、コントローラ１０は、総消費電力量と電力量上限値とを用いて各エリアＡ１，Ａ２，Ａ３の照度目標値を算出する。そして、総消費電力量と電力量上限値とは、１つの照明システム全体に対して１つずつ与えられるものであり、エリア数の増減とは無関係である。そして、コントローラ１０は、エリア数に関する情報を用いずに照度目標値を算出するので、エリアの増減によりエリア数が変化しても、コントローラ１０の処理内容は変更する必要がない。
【０１０２】
一方、センサアダプタ３０は、ある対象エリア（例えば、エリアＡ１）の照度目標値および照度だけを用いて、エリアＡ１に設置された照明装置５０の調光率を調整する。従って、エリアＡ１以外のエリアの増減（例えば、エリアＡ４の追加やエリアＡ３の削減）があったとしても、センサアダプタ３０は、エリアＡ１以外のエリア（例えば、エリアＡ２，Ａ３）の照度を用いずにエリアＡ１に設置された照明装置５０の調光率を調整するので、センサアダプタ３０の処理内容を変更する必要がない。
【０１０３】
また、コントローラ１０は、総消費電力量が電力量上限値を超えないように各エリアＡ１，Ａ２，Ａ３の照度目標値を算出し、当該照度目標値を示す信号を送出する処理を繰り返す。これにより、例えば、エリアが増設された場合に総消費電力量が電力量上限値を越えるようなことがあっても、その後のコントローラ１０が行う上記処理により総消費電力量を電力量上限値を超えないようにすることができる。つまり、エリアの増減があっても、コントローラ１０が上記処理を繰り返すことにより、各エリアＡ１，Ａ２，Ａ３の照度は、総消費電力量が電力上限値を超えない範囲での照度目標値に一致する照度で維持される。
【０１０４】
結局、本構成によれば、エリアの増減を行う際、コントローラ１０やセンサアダプタ３０の処理内容の変更に伴う処理プログラムの作り変え等を行う必要がないので、その分、エリアの増減の容易化を図ることができる。また、エリアの増減があっても、各エリアＡ１，Ａ２，Ａ３は、総消費電力量が電力上限値を超えない範囲で最適な照度目標値と一致する照度で維持されるので、ユーザの快適性向上を図ることができる。
【０１０５】
以上のように、本発明では、マスター制御装置であるコントローラ１０が、総消費電力量が電力量上限値を超えないように各エリアの照度目標値を算出してから、スレーブ制御装置として機能するセンサアダプタ３０が、各エリアの照度が当該照度目標値に一致するように各エリアに設置された照明装置の調光率をエリア毎に個別に調整する。
ここで、コントローラ１０は、総消費電力量と電力量上限値とを用いて各エリアの照度目標値を算出する。そして、総消費電力量と電力量上限値とは、１つの照明システム全体に対して１つずつ与えられるものであり、エリア数の増減とは無関係である。そして、コントローラ１０は、エリア数に関する情報を用いずに照度目標値を算出するので、エリアの増減によりエリア数が変化しても、コントローラ１０の処理内容は変更する必要がない。
【０１０６】
一方、センサアダプタ３０は、ある対象エリアの照度目標値および照度だけを用いて当該対象エリアに設置された照明装置の調光率を調整する。従って、対象エリア以外のエリアの増減があったとしても、センサアダプタ３０は、対象エリア以外のエリアの照度を用いて照明装置の調光率を算出していないので、センサアダプタ３０で行う処理内容を変更する必要がない。
【０１０７】
ところで、特許文献１で説明した照明システムでは、コントローラが、各エリアの照度測定値および総消費電力量を引数として、各エリアに設置された照明装置それぞれの調光率を出力する目的関数を用いて各エリアに設置された照明装置それぞれの調光率を算出する。
この種の照明システムの一例を図１２に示す。
【０１０８】
図１２に示す構成の照明システムでは、コントローラ１０１０が、各エリアＡ１，Ａ２，Ａ３の照度測定値および総消費電力量を引数として、各エリアＡ１，Ａ２，Ａ３に設置された照明装置５０それぞれの調光率を出力する目的関数を用いて各エリアＡ１，Ａ２，Ａ３に設置された照明装置５０それぞれの調光率を算出する。
この目的関数は、例えば、ｎ個のエリアＡ１，Ａ２，・・・，Ａｎがある場合、各エリアＡ１，Ａ２，・・・，Ａｎに設置された照明装置５０の調光率（ｐ１，ｐ２，・・・，ｐｎ）と、総消費電力量Ｅと、各エリアＡ１，Ａ２，・・・，Ａｎの照度（Ｌ１，Ｌ２，・・・，Ｌｎ）との間には、式（２）の関係が成立する。
【０１０９】
【数２】
2014002889.tif 000004
【０１１０】
ここで、ｆ(Ｂ)は、総消費電力量Ｅと、各エリアＡ１，Ａ２，・・・，Ａｎの照度（Ｌ１，Ｌ２，・・・，Ｌｎ）を引数として各エリアＡ１，Ａ２，・・・，Ａｎに設置された照明装置５０の調光率（ｐ１，ｐ２，・・・，ｐｎ）を出力する目的関数であり、ｎ×（ｎ＋１）行列の多項式である。
一方、本実施の形態に係る照明システムでは、コントローラ１０が消消費電力量から照度目標値を算出する処理を行う。そして、各エリアＡ１（Ａ２，Ａ３）に対応するセンサアダプタ３０が、コントローラ１０から取得した照度目標値と、自装置に対応するエリアＡ１（Ａ２，Ａ３）の照度とから、自装置に対応するエリアＡ１（Ａ２，Ａ３）に設置された照明装置５０の調光率を算出する。
【０１１１】
ここで、総消費電力量Ｅと照度目標値Ｌｓとの間には、式（３）の関係が成立する。
【０１１２】
【数３】
2014002889.tif 000005
【０１１３】
また、各エリアＡ１，Ａ２，・・・，Ａｎに設置された照明装置５０の調光率（ｐ１，ｐ２，・・・，ｐｎ）と、照度目標値と、各エリアＡ１，Ａ２，・・・，Ａｎの照度（Ｌ１，Ｌ２，・・・，Ｌｎ）との間には、式（４）の関係が成立する。
【０１１４】
【数４】
2014002889.tif 000006
【０１１５】
ここで、ｉは、各エリアＡ１，Ａ２，・・・，Ａｎに対応する番号である。
本実施の形態に係る照明システムでは、コントローラ１０において式（３）で表される関数の計算を行い、各センサアダプタ３０において式（４）で表される関数の計算を行う。
式（２）の形と、式（３）および（４）の形とを比較すれば判るように、図１２に示す構成に係るコントローラ１０１０で行われる計算処理に比べて、本実施の形態に係るコントローラ１０およびセンサアダプタ３０それぞれで行われる計算処理は、格段に簡素化されたものとなっている。特に、エリア数ｎが増加するにつれて、図１２に示す構成と本実施の形態とでは、計算処理の複雑さにおける差異は顕著になる。
【０１１６】
このように、本実施の形態に係る照明システムでは、コントローラ１０およびセンサアダプタ３０において行われる計算処理が、図１２に示す構成に係るコントローラ１０１０において行われる計算処理に比べて格段に簡素化されている。従って、本実施の形態に係る照明システムでは、図１２に示す構成の照明システムに比べて、コントローラ１０における処理負荷が劇的に軽減されるという利点がある。
【０１１７】
＜実施の形態２＞
本実施の形態に係る照明システムでは、コントローラ１０が、照度目標値を示す信号を送出する際、照度目標値が第１照度目標値であるか或いは第２照度目標値であるかを識別するための種別情報（識別情報）を送出しする。一方、センサアダプタ３０は、照明装置５０の調光率を単位変化量ずつ変化させるものであり、種別情報が第１照度目標値を示す場合、単位変化量を第１単位変化量に設定し、識別情報が第２照度目標値を示す場合、単位変化量を第１単位変化量よりも大きい第２単位変化量に設定する。
【０１１８】
ここで、第１単位変化量は、ユーザの目に違和感が無い程度の大きさであり、ユーザの快適性を優先した値となっている。一方、第２単位変化量は、消費電力がより早く電力量上限値以下となるようにするために第１単位変化量よりも大きい値となっている。
以下、本実施の形態に係る照明システムについて詳細に説明する。
本実施の形態に係る照明システムは、実施の形態１に係る照明システムと同様の構成を備える。但し、照明システムの動作、特に、センサアダプタ３０の動作が実施の形態１に係る照明システムとは相違する。また、コントローラ１０からセンサアダプタ３０に送信信される信号のフォーマットも実施の形態１に係る照明システムとは相違する。ここでは、照明システムの構成およびセンサアダプタ３０の動作以外の動作についての説明は省略する。
【０１１９】
本実施の形態に係る照明システムにおける、コントローラ１０からセンサアダプタ３０へ送信される信号のフォーマットを図１３に示す。
信号のフォーマットは、照度目標値の種別を示す種別情報が含まれている点が実施の形態１に係る信号のフォーマットと相違する。この照度目標値の種別は、照度目標値が第１照度目標値であるか或いは第２照度目標値であるかを識別するためのものである。
【０１２０】
センサアダプタ３０の動作制御部３２の動作の一部を示すフローチャートを図１４に示す。本実施の形態に係るセンサアダプタ３０の動作は、図１１のフローチャートで示される動作についてステップＳ２１５の動作を変更するとともに、図１４のフローチャートで示される動作を追加したものである。なお、実施の形態１と同様の処理については同一の符号を付して適宜説明を省略する。
【０１２１】
ここで、センサアダプタ３０は、図１１のステップＳ２１８またはステップＳ２２１の処理での調光率の単位変化量として、第１単位変化量と、第１単位変化量よりも大きい第２単位変化量とを保持している。そして、単位変化量が第１単位変化量に設定されていると、ステップＳ２１８またはステップＳ２２１の処理を行う毎に、第１単位変化量ずつ調光率が増加または減少していく。また、第１単位変化量は、人の目に違和感が無い程度の大きさにするのが一般的である。
【０１２２】
ステップＳ２１４またはステップＳ２２５において、照度目標値を示す信号を受信したと判定すると、動作制御部３２は、照度目標値とともに照度目標値の種別情報を取得する（ステップＳ３１１）。ここで、種別情報とは、照度目標値が第１照度目標値であるか第２照度目標値であるかを識別するための情報である。
次に、動作制御部３２は、種別情報が第１照度目標値であるか否かを判定する（ステップＳ３１２）。
【０１２３】
ステップＳ３１２において、種別情報が第１照度目標値であると判定すると（ステップＳ３１２：Ｙｅｓ）、動作制御部３２は、単位変化量を第１単位変化量に設定した後（ステップＳ３１３）、ステップＳ２１６の処理を行う。
一方、ステップＳ３１２において、種別情報が第１照度目標値でないと判定すると（ステップＳ３１２：Ｎｏ）、動作制御部３２は、単位変化量を第２単位変化量に設定した後（ステップＳ３１４）、ステップＳ２１６の処理を行う。
【０１２４】
本実施の形態に係る照明システムでは、消費電力が電力量上限値を超えた状態となった場合、実施の形態１に比べて、照明装置５０の調光率を早く減衰させることができる。これにより、消費電力をより早く電力量上限値以下にすることができるので、消費電力の低減を図ることができる。また、例えば、許容積算電力量の上限が、電力量上限値の時間積分量で与えられている場合、実際の積算電力量が、許容積算電力量の上限を超えてしまうことを抑制できる。
【０１２５】
＜実施の形態３＞
本実施の形態に係る照明システムでは、電力量上限値として、デマンド管理単位、即ち、上位システム１１０がコントローラ１０にアクセスする時間間隔当たりの総消費電力量に対するものを採用する。そして、コントローラ１０は、第２照度目標値を選択して当該第２照度目標値を示す信号を送出した場合、電力測定値をデマンド管理単位で積算して得られる総消費電力量と、電力量上限値との差分絶対値‖ΔＥ‖が基準値よりも大きいとき、電力量上限値と総消費電力量に基づいて第３照度目標値を算出し、第２照度目標値ではなく、第３照度目標値を選択する。
【０１２６】
以下、本実施の形態に係る照明システムについて詳細に説明する。
本実施の形態に係る照明システムは、実施の形態１に係る照明システムと同様の構成を備える。但し、照明システムの動作、特に、コントローラ１０の電力情報制御部１２の照度目標値設定動作が実施の形態１に係る照明システムとは相違する。ここでは、照明システムの構成および電力情報制御部１２の照度目標値設定動作以外の動作についての説明は省略する。
【０１２７】
コントローラ１０の電力情報制御部１２の動作の一部を示すフローチャートを図１５に示す。本実施の形態に係る電力情報制御部１２の照度目標値設定動作は、図９のフローチャートで示される動作について、図１５のフローチャートで示される動作を追加したものである。なお、実施の形態１と同様の処理については同一の符号を付して適宜説明を省略する。
【０１２８】
ステップＳ５７の処理後、電力情報制御部１２は、電力測定装置７０から電力測定値受信部２０を介して電力測定値の総和を取得する（ステップＳ４１１）。ここにおいて、電力測定装置７０は、瞬時電力を示す電力測定値とともに、所定の単位時間毎に積算して得られる電力測定値を、コントローラ１０の電力測定値受信部２０に対して送信している。この所定の単位時間は、例えば、デマンド管理単位が３０分であれば、凡そ５分乃至１０分程度にすればよい。即ち、所定の単位時間は、デマンド管理単位の凡そ１／３以下にすればよい。
【０１２９】
次に、電力情報制御部１２は、取得した電力測定値を換算してデマンド管理単位での電力測定値の総和を算出する（ステップＳ４１２）。
続いて、電力情報制御部１２は、電力量上限値と、取得した電力測定値の総和との差分絶対値｜ΔＥ｜を算出する（ステップＳ４１３）。
その後、電力情報制御部１２は、差分絶対値｜ΔＥ｜が基準値よりも大きいか否かを判定する（ステップＳ４１４）。ここで、基準値は、記憶部１４に予め記憶されている。そして、電力情報制御部１２は、ステップＳ４１３の処理において、記憶部１４から基準値を読み出してから判定を行う。なお、この基準値は、例えば、電力情報制御部１２のレジスタに格納しておくようにしてもよいし、記憶部１４に記憶しておいてもよい。
【０１３０】
ステップＳ４１４において、差分絶対値｜ΔＥ｜が基準値以下と判定されると（ステップＳ４１４：Ｎｏ）、電力情報制御部１２は、そのまま照度目標値設定動作を終了する。
一方、ステップＳ４１４において、差分絶対値｜ΔＥ｜が基準値よりも大きいと判定されると（ステップＳ４１４：Ｙｅｓ）、電力情報制御部１２は、第２照度目標値よりも単位照度ΔＬだけ大きい値を仮照度目標値Ｌとしてセンサアダプタ３０に送信する（ステップＳ４１５）。
【０１３１】
次に、電力情報制御部１２は、照明装置５０の照度が安定するのに必要な所定時間だけ待機する（ステップＳ４１６）。この所定時間は、例えば、３分程度に設定される。
続いて、電力情報制御部１２は、再び、電力測定装置７０から電力測定値受信部２０を介して電力測定値を取得する（ステップＳ４１７）。このとき、電力情報制御部１２は、電力測定値受信部２０を介して、電力測定装置７０へ瞬時の電力測定値を要求する。そして、電力情報制御部１２は、電力測定値受信部２０を介して、瞬時の電力測定値を取得する。
【０１３２】
その後、電力情報制御部１２は、取得した電力測定値を換算してデマンド管理単位での電力測定値の総和を算出する（ステップＳ４１８）。
次に、電力情報制御部１２は、電力量上限値から、算出した電力測定値の総和を差し引いて得られる差分値ΔＥを算出する（ステップＳ４１９）。
続いて、電力情報制御部１２は、差分値ΔＥが「０」よりも大きいか否かを判定する（ステップＳ４２０）。
【０１３３】
ステップＳ４２０において、差分値ΔＥが「０」以下と判定されると（ステップＳ４２０：Ｎｏ）、電力情報制御部１２は、仮照度目標値よりも単位照度ΔＬだけ小さい第３照度目標値を照度目標値として選択し、当該照度目標値を示す信号を各エリアＡ１，Ａ２，Ａ３のセンサアダプタ３０にブロードキャスト送信する（ステップＳ４２１）。
一方、ステップＳ４２０において、差分値ΔＥが「０」よりも大きいと判定されると（ステップＳ４２０：Ｎｏ）、電力情報制御部１２は、再び、ステップＳ４１５の処理を行う。
【０１３４】
以上のように、電力情報制御部１２は、第２照度目標値をセンサアダプタ３０に送信した後において、電力量上限値と電力測定値の総和との差分絶対値が基準値よりも大きい場合、センサアダプタ３０に送信する仮照度目標値Ｌを単位照度ΔＬずつ段階的に大きくしていく。そして、電力情報制御部１２は、電力測定値の総和（総消費電力量）が電力量上限値を超えたところで、仮照度目標値Ｌよりも単位照度ΔＬだけ小さい第３照度目標値をセンサアダプタ３０に送信して照度目標値設定動作を終了する。つまり、コントローラ１０の電力情報制御部１２は、単位照度ΔＬを保持しており、第３照度目標値を選択する前に、第２照度目標値から、単位照度ずつ段階的に引き上げて得られる仮照度目標値Ｌを示す信号を送出する処理と、電力量上限値と電力測定値から得られる総消費電力量とを比較する処理とを繰り返し、総消費電力量が電力量上限値以下であり且つ電力量上限値に最も近い値になったときにおける仮照度目標値Ｌを第３照度目標値として選択する。
【０１３５】
ところで、照度／消費電力予測相関テーブルは、外光が無く、すべての照明装置５０を調光率１００％で点灯させたときの照度（最大照度）と消費電力（最大消費電力）とから予測したものである。従って、外光により照度が補填されている場合等では、照度と消費電力との相関関係が、照度／消費電力予測相関テーブルが示す相関関係とは異なっている。
【０１３６】
前述の第１照度目標値、第２照度目標値、第３照度目標値および照度／消費電力量予測相関テーブルとの関係を図１６（ａ）および（ｂ）に示す。
図１６（ａ）に示すように、予め定められた第１照度目標値が、電力量上限値から定まる第２照度目標値よりも大きい場合、電力情報制御部１２は、第２照度目標値をセンサアダプタ３０に対して送信する。このとき、外光等の影響があると、電力測定装置７０で測定される電力測定値の総和は、電力量上限値よりも小さくなる。これは、外光により照度が補填されるため、センサアダプタ３０における照明装置５０の調光率が低下するからである。
【０１３７】
そこで、図１６（ｂ）に示すように、本実施の形態に係る照明システムでは、実際の消費電力、即ち、電力測定装置７０で測定して得られる電力測定値の総和と電力量上限値との差分が、ある程度大きい場合、照度目標値を第２照度目標値よりも第１照度目標値に近い第３照度目標値に設定する。ここで、第３照度目標値は、電力測定値の総和が電力量上限値を超えない範囲で設定される。
【０１３８】
これにより、実施の形態１に係る照明システムに比べて、消費電力を電力量上限値以下に維持しながらも快適性を向上させることができる。
結局、本実施の形態に係る照明システムは、コントローラ１０の電力情報制御部１２が第２照度目標値を示す信号をセンサアダプタ３０に送出した後、電力情報制御部１２が、電力測定装置７０から電力測定値受信部２０を介して電力測定値を取得する。そして、電力情報制御部１２は、取得した電力測定値のデマンド管理単位当たりの総和（総消費電力量）を算出し、当該総消費電力量と電力量上限値との差分絶対値‖ΔＥ‖が基準値以上であるかを判定する。ここで、電力情報制御部１２は、差分絶対値前記電力量上限値との差分絶対値が基準値よりも大きいとき、電力量上限値と総消費電力量に基づいて第３照度目標値を算出し、第２照度目標値ではなく、第３照度目標値を選択する。
【０１３９】
本構成によれば、総消費電力量を電力量上限値以下に維持しながらも、照度目標値を第２照度目標値よりも第１照度目標値に近い第３照度目標値に設定することができるので、ユーザの快適性の向上を図ることができる。
なお、本実施の形態における照明システムでは、当該総消費電力量と電力量上限値との差分絶対値‖ΔＥ‖が基準値以上の状態が、予め決められた期間以上継続した場合に第３照度目標値を選択するようにしてもよい。
【０１４０】
＜実施の形態４＞
本実施の形態に係る照明システムでは、センサアダプタ３０が、各エリアＡ１，Ａ２，Ａ３を識別するための識別番号を保持している。そして、センサアダプタ３０は、コントローラ１０に対して、各エリアＡ１，Ａ２，Ａ３に設置された照明装置５０の調光率と、各エリアＡ１，Ａ２，Ａ３の人の存否を示す情報とを各エリアＡ１，Ａ２，Ａ３の識別情報とともに送信する。一方、コントローラ１０は、第２照度目標値を選択して当該第２目標値を示す信号を送出した場合、第２照度目標値と各エリアに対応する調光率とから外光率を算出し、各エリアＡ１，Ａ２，Ａ３の人の存否を示す情報から不在率を算出する。その後、電力情報制御部１２は、外光率と不在率とから、照度比／消費電力比相関テーブルを補正し、補正した照度比／消費電力比相関テーブルを用いて第４照度目標値を算出し、第２照度目標値ではなく、第４照度目標値を選択する。
【０１４１】
以下、本実施の形態に係る照明システムについて詳細に説明する。
本実施の形態に係る照明システムは、実施の形態１に係る照明システムと同様の構成を備える。但し、コントローラ１０の電力情報制御部１２の照度目標値設定、送信処理の内容が実施の形態１に係る照明システムとは相違する。ここでは、照明システムの構成および電力情報制御部１２の照度目標値設定、送信処理以外の処理についての説明は省略する。
【０１４２】
電力情報制御部１２の動作の一部を示すフローチャートを図１７に示す。本実施の形態に係る電力情報制御部１２の照度目標値設定、送信処理は、図９のフローチャートで示される処理に、図１７のフローチャートで示される処理を追加したものである。なお、実施の形態１と同様の処理については同一の符号を付して適宜説明を省略する。
ステップＳ５７の処理後、電力情報制御部１２は、各センサアダプタ３０から調光率、人感センサ３８の情報およびセンサアダプタ３０の識別情報を取得する（ステップＳ５１１）。具体的には、電力情報制御部１２は、各センサアダプタ３０に対して信号送出要求を行い、これに対して各センサアダプタ３０から送信されてくる信号を受信し、当該信号に対して変換処理を行う。
【０１４３】
各センサアダプタ３０から送信される信号のフォーマットを図１８に示す。
この信号は、信号の始まりを示すビットパターンＭＳＢと、調光率を示す数値情報と、人の存否を示す存否情報と、各センサアダプタ３０を識別するための情報ＩＤと、信号の終りを示すビットパターンＬＳＢとから構成される。
そして、電力情報制御部１２は、この信号に対して変換処理を行うことにより、各センサアダプタ３０に対応する、調光率、人の存否情報および識別情報を取得する。
【０１４４】
次に、電力情報制御部１２は、取得した調光率、第２照度目標値および最大照度を示す数値データを用いて、外光の各エリアＡ１，Ａ２，Ａ３の照度への影響を示す率（外光率）を算出する（ステップＳ５１２）。
ここにおいて、外光率は、エリアＡ１，Ａ２，Ａ３それぞれにおける照度が、照明装置５０に入力される調光信号の調光率に比例するものとして算出される。具体的には、下記式（５）を用いて算出される。
【０１４５】
【数５】
2014002889.tif 000007
【０１４６】
ここで、ａは外光率（％）、Ｖ（ｊ）は各エリアＡ１，Ａ２，Ａ３における調光信号の調光率、Ｌｓは第２照度目標値、Ｌｍａｘは最大照度、ｍは、エリア数を示す。本実施の形態では、エリア数ｍは「３」である。
続いて、電力情報制御部１２は、取得した人の存否情報および照明環境記憶領域１４ｃに記憶されているデータを用いて、人が不在のため照明装置５０が消灯しているエリアの比率（不在率）を算出する（ステップＳ５１３）。
【０１４７】
具体的には、下記式（６）を用いて算出される。
【０１４８】
【数６】
2014002889.tif 000008
【０１４９】
ここで、ｂは不在率（％）、ｍは、全エリア数、ｌは、人が存在しないエリアの数である。例えば、エリアＡ１，Ａ２には人が存在し、エリアＡ３には人が存在しない場合は、不在率は、「６６．６％」となる。
その後、電力情報制御部１２は、算出した外光率および不在率を用いて、照度比／消費電力比テーブルの補正を行う（ステップＳ５１４）。
【０１５０】
ここにおいて、電力情報制御部１２は、照度比／消費電力比相関テーブルを示す２次元配列（Ｌ１（ｋ），Ｅ１（ｋ））に対して、下記式（７）で表されるような換算を行い新たな２次元配列（Ｌ３（ｋ），Ｅ３（ｋ））を生成する。
【０１５１】
【数７】
2014002889.tif 000009
【０１５２】
ここで、ａは、外光率（％）を示し、ｂは、不在率（％）を示し、（Ｌ３（ｋ），Ｅ３（ｋ））（ｋ＝０，１，２，・・・，ｑ−１）が新たに生成される２次元配列を示す。この２次元配列（Ｌ３（ｋ），Ｅ３（ｋ））（ｋ＝０，１，２，・・・，ｑ−１）が、補正後の照度比／消費電力比相関テーブルを構成する。
次に、電力情報制御部１２は、補正後の照度比／消費電力比相関テーブルを用いて、照度／消費電力予測相関テーブルを作成する（ステップＳ５１５）。
【０１５３】
ここで、照度比／消費電力量比相関テーブルを図１９（ａ）乃至（ｃ）に示す。図１９（ａ）乃至（ｃ）における曲線Ｃ２は、外光率ａおよび不在率ｂが共に０％の場合の照度比／消費電力比相関テーブルに対応する曲線である。
図１９（ａ）に示すように、外光率ａが６０％および不在率ｂが０％の場合の照度比／消費電力比相関テーブルに対応する曲線Ｃ３１は、曲線Ｃ２に比べて、照度比６０％だけ右方向に移動した形状をしている（図１９（ａ）の矢印参照）。
【０１５４】
また、図１９（ｂ）に示すように、外光率ａが０％および不在率ｂが４０％の場合の照度比／消費電力比相関テーブルに対応する曲線Ｃ３１は、曲線Ｃ２に比べて、消費電力比を６０％だけ減少させた形状をしている（図１９（ｂ）の矢印参照）。
そして、図１９（ｃ）に示すように、外光率ａが６０％および不在率ｂが４０％の場合の照度比／消費電力比相関テーブルに対応する曲線Ｃ３１は、曲線Ｃ２に比べて、照度比６０％だけ右方向に移動し且つ消費電力比を６０％だけ減少させた形状をしている（図１９（ｃ）の矢印参照）。
【０１５５】
続いて、電力情報制御部１２は、作成した照度／消費電力予測相関テーブルを照度／消費電力予測相関テーブル記憶領域１４ｅに記憶する（ステップＳ５１６）。
その後、電力情報制御部１２は、記憶部１４の電力量上限値記憶領域１４ａから電力量上限値を取得する（ステップＳ５１７）。
次に、電力情報制御部１２は、記憶部１４の照度／消費電力予測相関テーブル記憶領域１４ｅに記憶された照度／消費電力予測相関テーブルを参照して、第４照度目標値を算出する（ステップＳ５１８）。具体的には、電力情報制御部１２は、照度／消費電力予測相関テーブルの消費電力Ｅ（ｋ）（ｋ＝０，１，２，・・・，ｑ−１）の中から適宜の検索方向を用いて電力量上限値に最も近い消費電力Ｅ（ｋ０）を検出する。そして、消費電力Ｅ（ｋ０）に対応する照度Ｌ（ｋ０）を第４照度目標値として選出し、記憶部１４の照度目標値記憶領域１４ｆに記憶する。
【０１５６】
最後に、電力情報制御部１２は、照度目標値記憶領域１４ｆに記憶された第４照度目標値を照度目標値として選出し、当該照度目標値を示す信号を各エリアのセンサアダプタ３０にブロードキャスト送信する（ステップＳ５１９）。
結局、本実施の形態に係る照明システムでは、各センサアダプタ３０が、コントローラ１０の電力情報制御部１２に対して、自装置と同じエリアＡ１，Ａ２，Ａ３に設置された照明装置５０の調光率を示す数値情報と、人の存否を示す存否情報と、各センサアダプタ３０を識別するための情報ＩＤとを送信する。そして、コントローラ１０が第２照度目標値を照度目標値としてセンサアダプタ３０に送出した後において、電力情報制御部１２は、各センサアダプタ３０から取得した照明装置５０の調光率を示す数値情報と、存否情報と、識別情報とに基づいて、外光率ａおよび不在率ｂを算出し、算出した外光率ａおよび不在率ｂを用いて照度比／消費電力比相関テーブルを補正する。そして、電力情報制御部１２は、補正後の照度比／消費電力比相関テーブルから照度／消費電力予測相関テーブルを再度作成して第４照度目標値を算出する。
【０１５７】
本構成によれば、総消費電力量を電力量上限値以下に維持しながらも、照度目標値を第２照度目標値よりも第１照度目標値に近い第４照度目標値に設定することができるので、ユーザの快適性の向上を図ることができる。
ところで、実施の形態３に係る照明システムでは、第２照度目標値から単位照度ΔＬずつ段階的に引き上げて得られる仮照度目標値Ｌを送出する処理と、電力量上限値と電力測定値から得られる総消費電力量との比較する処理とを繰り返し、第３照度目標値を算出する。つまり、実施の形態３に係る照明システムでは、電力情報制御部１２が、仮照度目標値Ｌを送出する処理と、電力量上限値と総消費電力量とを比較する処理とを繰り返す分、処理数が増加し、第３照度目標値、即ち、第２照度目標値よりも第１照度目標値に近い照度目標値を算出するまでの時間が長くなる。
【０１５８】
これに対して、本実施の形態に係る照明システムでは、センサアダプタ３０から得られる調光率および存否情報から算出される外光率および不在率に基づいて照度比／消費電力比相関テーブルを一度補正した後、当該補正後の照度比／消費電力比相関テーブルから照度／消費電力予測相関テーブルを作成する処理を経て第４照度目標値を算出する。このように本実施の形態に係る照明システムは、実施の形態３に係る照明システムに比べて、第２照度目標値よりも第１照度目標値に近い照度目標値（第４照度目標値）を算出するまでの処理数が少ないので、その分、時間短縮を図ることができる。
【０１５９】
また、本実施の形態に係る照明システムでは、第４照度目標値を算出する際、かならず最初に設定された照度比／消費電力比相関テーブルを基に補正を行う。これにより、補正後の照度比／消費電力比相関テーブルが最初に設定された照度比／消費電力比相関テーブルから大きく異なったものになってしまうのを防止している。
＜変形例＞
（１）実施の形態３に係る照明システムでは、コントローラ１０の電力情報制御部１２が、照度目標値として第３照度目標値を選択して送信した後、実際の電力測定値から得られる総消費電力量が電力量上限値を超えた場合、照度目標値として第２照度目標値を選択するようにしてもよい。
【０１６０】
本変形例に係る照明システムでは、コントローラ１０の電力情報制御部１２が例えば以下のような動作を行う。
コントローラ１０の電力情報制御部１２が、電力測定値受信部２０を介して、電力測定装置７０から周期的に電力測定値を取得する。この周期は、例えば、デマンド管理単位である３０分よりも短い５分乃至１０分に設定すればよい。そして、電力情報制御部１２は、取得した電力測定値からデマンド管理単位当たりの総消費電力量を算出する。
【０１６１】
そして、電力情報制御部１２が第３照度目標値を選択している場合において、総消費電力量が電力量上限値を越えたとき、電力情報制御部１２は、第１照度目標値および第２照度目標値のうち低い方を照度目標値として選択する。その後、電力情報制御部１２は、当該照度目標値を示す信号を各エリアＡ１，Ａ２，Ａ３のセンサアダプタ３０にブロードキャスト送信する。
【０１６２】
ところで、電力情報制御部１２が、第３照度目標値を照度目標値として選択し、当該照度目標値を示す信号を送出した後、各エリアＡ１，Ａ２，Ａ３への外光の影響や各エリアＡ１，Ａ２，Ａ３における人の存否状況が変化すると、総消費電力が電力上限値を超えてしまうことがある。
これに対して、本変形例に係る照明システムでは、電力情報制御部１２が、第３照度目標値を照度目標値として選択し、当該照度目標値を示す信号を送出した後、総消費電力量が電力量上限値を越えてしまった場合、電力情報制御部１２が即座に第２照度目標値を示す信号を送出することで、総消費電力量を即座に電力量上限値以下にすることができる。
【０１６３】
（２）実施の形態１乃至４では、コントローラ１０から各センサアダプタ３０に各エリアで共通の照度目標値を示す信号をブロードキャスト送信する照明システムの例について説明したが、これに限定されるものではなく、コントローラ１０から各センサアダプタ３０に対して互いに値の異なる複数の照度目標値を示す信号をブロードキャスト送信するものであってもよい。
【０１６４】
本変形例に係る照明システムの構成は、実施の形態１と同様であり、コントローラ１０から各センサアダプタ３０に送信される信号のフォーマットおよびセンサアダプタ３０の動作制御部３２の動作が相違する。
本変形例に係る照明システムにおいて、コントローラ１０から各センサアダプタ３０に送信される照度目標値を示す信号のフォーマットを図２０に示す。
【０１６５】
この信号は、信号の始まりを示すビットパターンＭＳＢと、照度目標値を示す数値データと、各照度目標値を識別するための識別情報ＩＤ１，ＩＤ２，ＩＤ３信号の終りを示すビットパターンＬＳＢとから構成される。ここでは、３種類の照度目標値を示す信号がコントローラ１０から各センサアダプタ３０に対して送信される。ここにおいて、識別情報ＩＤ１，ＩＤ２，ＩＤ３それぞれに対応する照度目標値Ｌｓ１，Ｌｓ２，Ｌｓ３は、例えば、下記式（８）、式（９）、式（１０）の関係式で表される。
【０１６６】
【数８】
2014002889.tif 000010
【０１６７】
【数９】
2014002889.tif 000011
【０１６８】
【数１０】
2014002889.tif 000012
【０１６９】
ここで、Ｌｓ０は、実施の形態１乃至４における第１、第２、第３、第４照度目標値のいずれかに相当し、Ｃ１、Ｃ２、Ｃ３は、重み付け係数を示す。
一方、センサアダプタ３０の動作制御部３２は、予め識別情報を保持しており、コントローラ１０から送信される３種類の照度目標値を示す信号を受信すると、当該３種類の信号の中から自己が保持する識別情報に一致する信号を選出し、選出した信号から照度目標値を取得する。例えば、あるセンサアダプタ３０が識別情報ＩＤ１を保持しているとすると、当該センサアダプタ３０は、３種類の信号のうち識別情報ＩＤ１を有する信号を選出し、選出した信号から照度目標値を取得する。そして、センサアダプタ３０は、明るさセンサ３６から得られる照度測定値が、取得した照度目標値に一致するように、自装置が設置されたエリアＡ１，Ａ２，Ａ３の照明装置５０の調光率を調整する。
【０１７０】
本構成によれば、各エリアＡ１，Ａ２，Ａ３の照度を互いに異なる照度で一定に維持することができる。
（３）実施の形態１乃至４では、センサアダプタ３０がエリア毎に設置されている例について説明したが、これに限定されるものではなく、例えば、１つのセンサアダプタ３０が複数エリアの照明装置５０の調光率をエリア毎に調整するようにしてもよい。例えば、１つのセンサアダプタ３０が、単位時間毎に各エリアにおいて独立した照明装置５０の調光率を調整するようにしてもよい。具体的には、センサアダプタ３０が、ある単位時間内に複数のエリアの中のある１つのエリアの照明装置５０の調光率をある１つの目的関数を用いて調整すると、次の単位時間内では他の１つのエリアの照明装置５０の調光率を同じ目的関数を用いて調整する。そして、センサアダプタ３０は、複数のエリアそれぞれの照明装置５０の調光率を共通の処理方法で時分割で順番に調整する。
【０１７１】
ここにおいて、センサアダプタ３０は、エリア数ｎが所定のエリア数Ｎ以下である限り、複数のエリアそれぞれの照明装置５０の調光率を共通の処理方法で調整する。例えば、照明装置５０がエリアＡ１，Ａ２，・・・，Ａｎ（ｎ≦Ｎ）に設置されているとすると、センサアダプタ３０は、エリアＡ１から時分割で順番に照明装置５０の調光率の調整を行っていった場合、エリアＡｎの照明装置５０の調光率を調整した後、自動的に再びエリアＡ１の照明装置５０の調光率の調整を行う。
【０１７２】
これにより、センサアダプタ３０は、全エリア数が所定のエリア数Ｎ以下である限り、エリア数ｎの増減に関係なく、複数のエリアそれぞれの照明装置５０の調光率を自動的に共通の処理方法で調整する。
（４）実施の形態１乃至４では、エリア増設の際、初期化スイッチを押下する例について説明したが、これに限定されるものではなく、例えば、初期化スイッチがコントローラ１０に設けられていない構成でもよい。この場合、コントローラ１０の電源をオフした状態で増設したエリアＡ４に対応するセンサアダプタ３０をコントローラ１０と通信可能に接続した後、コントローラ１０の電源をオンするようにすればよい。
【０１７３】
（５）実施の形態１乃至４では、コントローラ１０の電力情報制御部１２が１つの照度比／消費電力比相関テーブルを使用する例について説明したが、これに限定されるものではない。例えば、各エリアＡ１，Ａ２，Ａ３における明るさセンサ２６と複数の照明装置５０との間の距離の平均値等に応じて予め複数種類の照度比／消費電力比相関テーブルを記憶部１４に記憶させておき、電力情報制御部１２が、各エリアＡ１，Ａ２，Ａ３における明るさセンサ２６と照明装置５０との間の位置関係に応じて適宜照度比／消費電力比相関テーブルを選択するようにしてもよい。
【０１７４】
本変形例によれば、照度比／消費電力比相関テーブルとして、より現状を反映したものを採用することができるので、より高い精度で総消費電力量を電力量上限値以下に維持することができる。
【符号の説明】
【０１７５】
１０      コントローラ（マスター制御装置）
１２      電力情報制御部
１４      記憶部
１４ａ    電力量上限値記憶領域
１４ｂ    電力測定値記憶領域
１４ｃ    照明環境記憶領域
１４ｄ    照度比／消費電力比相関テーブル記憶領域
１４ｅ    照度／消費電力予測相関テーブル記憶領域
１４ｆ    照度目標値記憶領域
１６      計時部
１８      上位システム通信部
２０      電力測定値受信部
２２      表示部
３０      センサアダプタ（スレーブ制御装置）
３２      動作制御部
３６      明るさセンサ（照度測定手段）
３８      人感センサ（人検知手段）
４０      表示部
５０      照明装置
７０      電力測定装置
１００    商用電源
１１０    上位システム
【図１】
2014002889.tif 000013
【図２】
2014002889.tif 000014
【図３】
2014002889.tif 000015
【図４】
2014002889.tif 000016
【図５】
2014002889.tif 000017
【図６】
2014002889.tif 000018
【図７】
2014002889.tif 000019
【図８】
2014002889.tif 000020
【図９】
2014002889.tif 000021
【図１０】
2014002889.tif 000022
【図１１】
2014002889.tif 000023
【図１２】
2014002889.tif 000024
【図１３】
2014002889.tif 000025
【図１４】
2014002889.tif 000026
【図１５】
2014002889.tif 000027
【図１６】
2014002889.tif 000028
【図１７】
2014002889.tif 000029
【図１８】
2014002889.tif 000030
【図１９】
2014002889.tif 000031
【図２０】
2014002889.tif 000032